(57)【要約】【課題】光学系における収差を補正して性能の向上を図ると共に小型化を図る。【解決手段】ディスク状記録媒体１００の半径方向へ移動すると共に、ディスク状記録媒体へ向けてレーザー光を出射する発光素子１４と、該発光素子から出射されたレーザー光をディスク状記録媒体の記録トラックに集光する対物レンズ１３と、ディスク状記録媒体で反射されたレーザー光を戻り光として受光する受光素子１８とを備えた光ピックアップ７において、発光素子と対物レンズとの間のレーザー光の光路中に収差補正用光学素子１７を配置し、該収差補正用光学素子を、一対の対向する保護板間２１、２１に液晶層２６を有し球面収差を補正する液晶素子１９と、該液晶素子の少なくとも一方の保護板に設けられ色収差を補正する回折素子２０とによって構成した。【選択図】　　　　図２
2004071081.tif 000002
【特許請求の範囲】
【請求項１】
ディスクテーブルに装着されるディスク状記録媒体の半径方向へ移動すると共に、ディスク状記録媒体へ向けてレーザー光を出射する発光素子と、該発光素子から出射されたレーザー光をディスク状記録媒体の記録トラックに集光する対物レンズと、ディスク状記録媒体で反射されたレーザー光を戻り光として受光する受光素子とを備えた光ピックアップであって、
発光素子と対物レンズとの間のレーザー光の光路中に収差補正用光学素子を配置し、
該収差補正用光学素子を、一対の対向する保護板間に液晶層を有し球面収差を補正する液晶素子と、該液晶素子の少なくとも一方の保護板に設けられ色収差を補正する回折素子とによって構成した
ことを特徴とする光ピックアップ。
【請求項２】
上記発光素子から出射されるレーザー光の波長は、基準波長をλとしたときにλ±０．０１５λの範囲である
ことを特徴とする請求項１に記載の光ピックアップ。
【請求項３】
ディスク状記録媒体が装着されて回転されるディスクテーブルと該ディスクテーブルに装着されるディスク状記録媒体の半径方向へ移動する光ピックアップとを備え、該光ピックアップがディスク状記録媒体へ向けてレーザー光を出射する発光素子と該発光素子から出射されたレーザー光をディスク状記録媒体の記録トラックに集光する対物レンズとディスク状記録媒体で反射されたレーザー光を戻り光として受光する受光素子とを有するディスクドライブ装置であって、
発光素子と対物レンズとの間のレーザー光の光路中に収差補正用光学素子を配置し、
該収差補正用光学素子を、一対の対向する保護板間に液晶層を有し球面収差を補正する液晶素子と、該液晶素子の少なくとも一方の保護板に設けられ色収差を補正する回折素子とによって構成した
ことを特徴とするディスクドライブ装置。
【請求項４】
上記発光素子から出射されるレーザー光の波長は、基準波長をλとしたときにλ±０．０１５λの範囲である
ことを特徴とする請求項３に記載のディスクドライブ装置。
【発明の詳細な説明】
【０００１】
【発明の属する技術分野】
本発明は光ピックアップ及びディスクドライブ装置についての技術分野に関する。詳しくは、光学系における収差を補正して性能の向上を図ると共に小型化を図る技術分野に関する。
【０００２】
【従来の技術】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射する光ピックアップを備えている。
【０００３】
このようなディスクドライブ装置によって情報信号の記録や再生が行われるディスク状記録媒体には、例えば、ＣＤ（Ｃｏｍｐａｃｔ　Ｄｉｓｃ）やＣＤより記録密度の向上が図られたＤＶＤ（Ｄｉｇｉｔａｌ　Ｖｅｒｓａｔｉｌｅ　Ｄｉｓｃ）と称されるものがある。
【０００４】
記録密度を高めるためにはディスク状記録媒体の記録面上に集光されるビームスポットの径を小さくする必要があり、ビームスポットの径は、対物レンズの開口数をＮＡとしレーザー光の波長をλとすると、λ／ＮＡで表され、開口数ＮＡに反比例し、波長λに比例する。従って、記録密度の向上を図るためには、開口数ＮＡを大きくすると共に波長λを小さくする必要がある。
【０００５】
例えば、ＣＤに対する光学系においては、開口数ＮＡが約０．４５であり、波長λが約７８０ｎｍとされているのに対し、ＣＤより記録密度の高いＤＶＤに対する光学系においては、開口数ＮＡが約０．６であり、波長λが約６５０ｎｍとされている。
【０００６】
ディスク状記録媒体については、一層の記録密度の向上を目的として、青色半導体レーザーを使用し記録密度がＤＶＤの３乃至５倍程度のＨＤ―ＤＶＤの開発が進められており、ＨＤ―ＤＶＤに対する光学系においては、開口数ＮＡが約０．８５であり、波長λが約４０５ｎｍとされている。
【０００７】
しかしながら、青色半導体レーザーのような短波長のレーザー光を用いる場合には、光学系に発生する収差の影響が大きくなる。特に、発光素子（半導体レーザー）の波長の変動による収差の影響が問題となる。
【０００８】
波長変動は、動作環境の温度変化や発光素子の発光強度の変化等に起因して生じ、一般には、動作環境における温度が２５℃付近にあるときに、１℃の温度変化により±０．０７ｎｍ程度の波長変動が生じ、また、発光強度が１ｍＷ変化すると±０．０４ｎｍ程度の波長変動が生じる。
【０００９】
また、例えば、対物レンズの材料によっては、屈折率の波長依存性が大きく変動し、６５０ｎｍのレーザー光に対して４０５ｎｍのレーザー光を使用したときには波長依存性が５倍程度になるものがある。このように波長が短くなると、屈折率の変化率が大きくなるばかりでなく焦点深度も小さくなるため、特に、短波長のレーザー光を使用する場合には色収差の影響が大きくなる。
【００１０】
一方、ＨＤ―ＤＶＤのディスク保護層の厚みは約０．１ｍｍ程度であるが、製造上±５乃至１０μｍ程度の誤差が厚みムラとして生じる。このような厚みムラは、球面収差を発生させる要因となるが、短波長化及び高開口数化の下では、特に、厚みムラに基づく球面収差の影響が大きくなる。
【００１１】
上記のような短波長のレーザー光を用いる光学系にあっては、上記した球面収差や色収差の影響が特に大きくなるため、従来から、これらの収差を補正する種々の手段が提案されている。
【００１２】
図１０は、収差の補正を行うようにした従来の光学系の一例を示すものである。
【００１３】
この光学系ａには、発光素子ｂ、ビームスプリッターｃ、コリメーターレンズｄ、対物レンズｅ及び受光素子ｆが設けられ、コリメーターレンズｄと対物レンズｅとの間の光路中にビームエキスパンダーｇと接合レンズｈとが配置されている。
【００１４】
ビームエキスパンダーｇは第１のレンズｉと第２のレンズｊとが光軸方向において離間して配置されて成り、図示しないアクチュエーターによって第１のレンズｉ又は第２のレンズｊの少なくとも一方が光軸方向へ移動可能とされている。第１のレンズｉと第２のレンズｊは、何れか一方のレンズが対物レンズｅ側に配置され、他方のレンズがコリメーターレンズｄ側に配置されている。ビームエキスパンダーｇは、発生する球面収差をキャンセルする方向へ第１のレンズｉ又は第２のレンズｊが光軸方向へ移動されることにより、球面収差を補正する機能を有する。
【００１５】
接合レンズｈは、例えば、正レンズｋと負レンズｌとが接合されて成り、色収差を補正する機能を有する。正レンズｋと負レンズｌは、何れか一方のレンズがビームエキスパンダーｇ側に配置され、他方のレンズがコリメーターレンズｄ側に配置されている。
【００１６】
図１１は、収差の補正を行うようにした従来の別の光学系の一例を示すものである。
【００１７】
この光学系ａ′には、発光素子ｂ、ビームスプリッターｃ、コリメーターレンズｄ、対物レンズｅ及び受光素子ｆが設けられ、コリメーターレンズｄと対物レンズｅとの間の光路中に液晶素子ｍと接合レンズｈとが配置されている。
【００１８】
液晶素子ｍは発生する球面収差をキャンセルする方向への電圧が液晶に印加されることにより、球面収差を補正する機能を有する。
【００１９】
接合レンズｈは、上記と同様に、色収差を補正する機能を有する。
【００２０】
【発明が解決しようとする課題】
ところが、上記した光学系ａは、ビームエキスパンダーｇを備えているため、第１のレンズｉ又は第２のレンズｊが離間して配置されると共にこれらの少なくとも一方を移動させるためのアクチュエーターが必要であるため、部品点数が多く、また、ビームエキスパンダーｇや接合レンズｈ等の各種の光学要素を配置するために配置スペースが大きく、小型化を図ることができないという問題がある。また、アクチュエーターを必要とする分、機構が複雑であるという問題もある。
【００２１】
光学系ａ′にあっては、ビームエキスパンダーｇに代えて液晶素子ｍが配置されているため、光学系ａより小型化を図ることができるものの、液晶素子ｍと接合レンズｈが所定の間隔を置いて配置されているため、十分な小型化が確保されているとは言い難い。また、光学系ａと同様に、色収差を補正するために、正レンズｉと負レンズｊとが貼り合わされた接合レンズｈが用いられているので、２枚のレンズを必要とする分、光軸方向における厚みが厚くなり、小型化を阻害する要因となっている。
【００２２】
一方、収差の補正を行うようにした光学系として、特開２００１―２０９９６６号に記載された例がある。この光学系は、液晶層と該液晶層内に配置された回折素子とを有する回折光学素子を備え、回折素子によって球面収差を補正するようにしている。
【００２３】
しかしながら、本号開示の発明の目的は、異なる３種類のディスク状記録媒体に対する互換性を確保することにあり、回折素子によって回折された０次の回折光を赤外についての情報読取光又は情報記録光として利用し、回折素子によって回折された１次以上の回折光を青及び赤についての情報読取光又は情報記録光として利用するものである。また、本号開示の液晶層は、各ディスク状記録媒体の種類に応じて対物レンズの開口数を変更する役割を果たすものである。
【００２４】
そこで、本発明光ピックアップ及びディスクドライブ装置は、上記した問題点を克服し、光学系における収差を補正して性能の向上を図ると共に小型化を図ることを課題とする。
【００２５】
【課題を解決するための手段】
本発明光ピックアップ及びディスクドライブ装置は、上記した課題を解決するために、発光素子と対物レンズとの間のレーザー光の光路中に収差補正用光学素子を配置し、該収差補正用光学素子を、一対の対向する保護板間に液晶層を有し球面収差を補正する液晶素子と、該液晶素子の少なくとも一方の保護板に設けられ色収差を補正する回折素子とによって構成したものである。
【００２６】
従って、本発明光ピックアップ及びディスクドライブ装置にあっては、液晶素子と回折素子とを各別に配置するための配置スペースを必要としないと共に、波長変動に伴う球面収差と色収差がそれぞれ液晶素子と回折素子とによって補正される。
【００２７】
【発明の実施の形態】
以下に、本発明光ピックアップ及びディスクドライブ装置の実施の形態を添付図面を参照して説明する。
【００２８】
ディスクドライブ装置１は、外筐２内に所要の各部材及び各機構が配置されて成る（図１参照）。
【００２９】
外筐２内にはシャーシ３が配置され、該シャーシ３に図示しないスピンドルモーターが取り付けられている。スピンドルモーターのモーター軸にはディスクテーブル４が固定されている。
【００３０】
シャーシ３には配置孔３ａが形成され、ディスクテーブル４が配置孔３ａを介してシャーシ３の上方へ突出されている。
【００３１】
シャーシ３の下面側には、リードスクリュー５とガイド軸６、６とが平行な状態で配置されている。シャーシ３の配置孔３ａには、光ピックアップ７がディスクテーブル４に装着されるディスク状記録媒体１００の半径方向へ移動可能な状態で配置されている。
【００３２】
光ピックアップ７は移動ベース８と該移動ベース８に設けられた所要の光学要素（光学素子）と移動ベース８上に支持された対物レンズ駆動装置９とを有し、移動ベース８の両端部がそれぞれガイド軸６、６に摺動自在に支持されている。移動ベース８に設けられた図示しないナット部材がリードスクリュー５に螺合され、移動ベース８に取り付けられた図示しない送りモーターによってリードスクリュー５が回転されると、ナット部材がリードスクリュー５の回転方向に応じた方向へ送られ、光ピックアップ７がガイド軸６、６に案内されてディスクテーブル４に装着されるディスク状記録媒体１００の半径方向へ移動される。
【００３３】
対物レンズ駆動装置９は固定部１０と該固定部１０に複数のサスペンション１１、１１、・・・を介して移動可能に支持された可動部１２とを有し、該可動部１２に対物レンズ１３が保持されている（図１参照）。
【００３４】
移動ベース８には、所要の各光学要素が配置されている（図２参照）。
【００３５】
光学要素としては、発光素子１４、ビームスプリッター１５、コリメーターレンズ１６、収差補正用光学素子１７、上記対物レンズ駆動装置９に設けられた対物レンズ１３及び受光素子１８等であり、これらの各光学要素によってディスクドライブ装置１の光学系が構成される。
【００３６】
発光素子１４としては、例えば、半導体レーザーが用いられ、ディスク状記録媒体（ＨＤ―ＤＶＤ）１００に対して４０５ｎｍ付近の波長を有する青色レーザー光が出射される。
【００３７】
ビームスプリッター１５は、例えば、透過型であり、発光素子１４から出射されたレーザー光を分離面１５ａで透過してコリメーターレンズ１６へ導き、ディスク状記録媒体１００で反射されたレーザー光の戻り光を反射して受光素子１８へ導く機能を有する。
【００３８】
コリメーターレンズ１６は入射されたレーザー光の光束を平行光束にする機能を有し、対物レンズ１３は入射されたレーザー光をディスク状記録媒体１００の記録トラック上に集光させる機能を有する。
【００３９】
収差補正用光学素子１７は液晶素子１９と回折素子２０とが一体化されて構成されている（図２及び図３参照）。
【００４０】
液晶素子１９は互いに対向して配置された保護板２１、２１を有している。保護板２１、２１の材料としては、ガラス材料やポリカーボネート樹脂、アクリル樹脂、エポキシ系樹脂等の各種の樹脂材料を用いることができるが、耐久性等を考慮するとガラス材料を用いることが好ましい。
【００４１】
保護板２１、２１の内面２１ａ、２１ａの外周部には、それぞれ薄膜状の導電性スペーサー２２、２２が設けられ、該導電性スペーサー２２、２２を介して筒状を為すシール部２３が接着等により保護板２１、２１に固定されている。従って、保護板２１、２１とシール部２３とによって密閉空間が形成され、この密閉空間が液晶封入空間２４として形成されている。
【００４２】
保護板２１、２１の内面２１ａ、２１ａには、それぞれ透明な電極２５、２５が設けられている。電極２５、２５は、例えば、円板状に形成され、同心円状に分割された複数の電極パターン２５ａ、２５ａ、・・・によって構成されている（図４参照）。電極２５、２５は各電極パターン２５ａ、２５ａ、・・・が、それぞれ導電性スペーサー２２、２２を介して収差補正用の図示しない制御回路に接続されている。
【００４３】
電極２５、２５の互いに対向する側の面には、図示はしないが、絶縁膜及び配向膜が被覆されている。
【００４４】
液晶封入空間２４には液晶が封入されて液晶層２６が形成されている。
【００４５】
回折素子２０としては、例えば、フレネルレンズが用いられ、一方の面が輪帯状の複数のプリズム部を有する回折面２０ａとされている。回折面２０ａは、断面形状がブレーズ状（鋸歯状）に形成されている（図５参照）。回折素子２０は液晶素子１９の一方の保護板２１、例えば、コリメーターレンズ１６側に位置する保護板２１の外面２１ｂ上に設けられ、回折面２０ａがコリメーターレンズ１６側を向いている（図２参照）。
【００４６】
回折素子２０の溝深さをｄとすると（図５参照）、波長依存性を有する色収差を補正するためにはｄ＝λ（ｎ―ｎ′）であることが必要とされる。λはレーザー光の波長、ｎは回折素子２０の材料の屈折率、ｎ′は空気の屈折率である。回折素子２０の材料としては、例えば、屈折率が１．５程度の後述する紫外線硬化樹脂が用いられ、λ＝４０５ｎｍ、ｎ＝１．５、ｎ′＝１とすると、回折素子２０の溝深さｄは約０．８μｍとされる。
【００４７】
従って、回折素子２０の溝深さを約０．８μｍとすることにより、波長依存性を有する色収差を補正することが可能となる。
【００４８】
回折素子２０は、例えば、金型を用いて以下のようにして形成される（図６乃至図９参照）。
【００４９】
先ず、金型２７と液晶素子１９とを上下で対向するように配置する（図６参照）。金型２７は、その下面に回折面２０ａを形成するための金型面２７ａを有している。
【００５０】
次に、保護板２１の上面に紫外線硬化樹脂２８を滴下し（図６参照）、金型２７を下方へ移動する（図７参照）。金型２７の下方への移動により、金型面２７ａに倣って紫外線硬化樹脂２８に回折面２０ａが成形される。
【００５１】
次いで、紫外線を照射して紫外線硬化樹脂２８を硬化させる（図８参照）。尚、図８に示すように、紫外線を金型２７側から照射する場合には、金型２７が紫外線を透過する材料によって形成されている必要がある。また、逆に、紫外線を液晶素子１９側から照射する場合には、液晶素子１９が紫外線によってダメージを受けない材料によって形成されている必要がある。
【００５２】
紫外線硬化樹脂２８が硬化したところで金型２７を上方へ移動して離型する（図９参照）。
【００５３】
金型２７を離型することにより、保護板２１上に液晶素子１９と一体化された回折素子２０が形成される（図９参照）。
【００５４】
以上のように構成された光学系において、発光素子１４から４０５ｎｍ付近の波長を有するレーザー光が出射されると、出射されたレーザー光はビームスプリッター１５の分離面１５ａを透過されてコリメーターレンズ１６によって平行光束とされ、収差補正用光学素子１７及び対物レンズ１３を介してディスクテーブル４に装着されたディスク状記録媒体１００の記録面に照射される。ディスク状記録媒体１００の記録面に照射されたレーザー光は、該記録面で反射されて戻り光として再び対物レンズ１３、収差補正用光学素子１７及びコリメーターレンズ１６を介してビームスプリッター１５に入射される。ビームスプリッター１５に入射された戻り光は、ビームスプリッター１５の分離面１５ａで反射されて受光素子１８に入射される。
【００５５】
上記のように発光素子１４からレーザー光が出射されたときには、基準波長λ＝４０５ｎｍに対して、例えば、±６ｎｍ程度の範囲内（基準波長λ±０．０１５λの範囲内）における波長変動やディスク状記録媒体１００の厚みムラ等に起因する各収差が発生する。このとき収差補正用光学素子１７の回折素子２０によって色収差が補正される。同時に、液晶素子１９によって球面収差が補正される。
【００５６】
液晶素子１９による球面収差の補正は、発生する球面収差に応じてこの球面収差を打ち消す大きさの電圧を制御回路からの指令信号に応じて電極２５、２５に対して印加し、液晶層２６の実質的な屈折率を変化させることにより行う。即ち、図４に示すように、各電極パターン２５ａ、２５ａ、・・・毎に球面収差を打ち消す大きさの電圧を印加し、液晶層２６の屈折率を制御する。このように屈折率を制御することにより、液晶素子１９に入射されるレーザー光に球面収差と逆相の波面変化が生じ、球面収差が補正される。
【００５７】
液晶素子１９にあっては、分割された電極パターン２５ａ、２５ａ、・・・毎に発生する球面収差に応じた電圧が印加されるため、球面収差の補正を効率的に行うことができる。
【００５８】
尚、図４には、電極２５に４つの電極パターン２５ａ、２５ａ、・・・を設けた例を示しているが、電極パターンの個数はこれに限られることはなく、個数を増減することにより所望の電圧分布を得ることができる。
【００５９】
以上に記載した通り、ディスクドライブ装置１にあっては、発光素子１４と対物レンズ１３との間のレーザー光の光路中に収差補正用光学素子１７を配置し、該収差補正用光学素子１７を球面収差補正用の液晶素子１９と該液晶素子１９の保護板２１上に設けられた色収差補正用の回折素子２０とによって構成している。
【００６０】
従って、色収差及び球面収差が補正されるため光ピックアップ７の良好な性能を確保することができると共に、液晶素子１９と回折素子２０との一体化により光軸方向における光学系の素子の配置スペースが小さくなるため光ピックアップ７の小型化を図ることができる。
【００６１】
特に、４０５ｎｍ付近の短波長のレーザー光を使用する光ピックアップ７にあっては、収差が光ピックアップ７の性能に大きく影響するため、４０５ｎｍ付近の短波長のレーザー光を使用する光ピックアップ７に収差補正用光学素子１７を用いることにより、光ピックアップ７の良好な性能の維持を効果的に図ることができる。
【００６２】
尚、回折素子２０の回折角は、その回折面２０ａの形状によって一義的に定められるため、ディスクテーブル４に装着されるディスク状記録媒体１００、１００、・・・毎のディスク保護層の厚みムラ等によってそれぞれ発生量が異なる球面収差に応じてこれを補正することは困難である。従って、上記のように、色収差を回折素子２０によって補正し、装着されるディスク状記録媒体１００、１００、・・・毎に発生量が異なる球面収差に応じてこれを打ち消す大きさの電圧を印加することにより液晶素子１９によって球面収差を補正するようにすれば、各収差を効率的に補正することができ、光ピックアップ７の良好な性能の維持を効率的に図ることができる。
【００６３】
上記には、回折素子２０をコリメーターレンズ１６側に位置する保護板２１の外面２１ｂ上に設けた例を示したが、逆に、回折素子２０を対物レンズ１３側に位置する保護板２１の外面２１ｂ上に設けるようにしてもよい。
【００６４】
また、回折素子２０を保護板２１の内面２１ａ側に設け、液晶層２６内に配置するようにしてもよい。
【００６５】
さらに、上記には、発光素子１４から基準波長が４０５ｎｍであるレーザー光が出射される例について説明したが、基準波長は４０５ｎｍに限られることはなく、本発明は任意の大きさの波長を有するレーザー光が出射される場合に広く適用することができる。
【００６６】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６７】
【発明の効果】
以上に記載したところから明らかなように、本発明光ピックアップは、ディスクテーブルに装着されるディスク状記録媒体の半径方向へ移動すると共に、ディスク状記録媒体へ向けてレーザー光を出射する発光素子と、該発光素子から出射されたレーザー光をディスク状記録媒体の記録トラックに集光する対物レンズと、ディスク状記録媒体で反射されたレーザー光を戻り光として受光する受光素子とを備えた光ピックアップであって、発光素子と対物レンズとの間のレーザー光の光路中に収差補正用光学素子を配置し、該収差補正用光学素子を、一対の対向する保護板間に液晶層を有し球面収差を補正する液晶素子と、該液晶素子の少なくとも一方の保護板に設けられ色収差を補正する回折素子とによって構成したことを特徴とする。
【００６８】
従って、色収差及び球面収差が補正されるため光ピックアップの良好な性能を確保することができると共に、レーザー光の光軸方向における光学系の素子の配置スペースが小さくなるため光ピックアップの小型化を図ることができる。
【００６９】
請求項２に記載した発明にあっては、上記発光素子から出射されるレーザー光の波長は、基準波長をλとしたときにλ±０．０１５λの範囲であるので、短波長のレーザー光を使用する光ピックアップにおいて、光ピックアップの良好な性能の維持を効果的に図ることができる。
【００７０】
本発明ディスクドライブ装置は、ディスク状記録媒体が装着されて回転されるディスクテーブルと該ディスクテーブルに装着されるディスク状記録媒体の半径方向へ移動する光ピックアップとを備え、該光ピックアップがディスク状記録媒体へ向けてレーザー光を出射する発光素子と該発光素子から出射されたレーザー光をディスク状記録媒体の記録トラックに集光する対物レンズとディスク状記録媒体で反射されたレーザー光を戻り光として受光する受光素子とを有するディスクドライブ装置であって、発光素子と対物レンズとの間のレーザー光の光路中に収差補正用光学素子を配置し、該収差補正用光学素子を、一対の対向する保護板間に液晶層を有し球面収差を補正する液晶素子と、該液晶素子の少なくとも一方の保護板に設けられ色収差を補正する回折素子とによって構成したことを特徴とする。
【００７１】
従って、色収差及び球面収差が補正されるため光ピックアップの良好な性能を確保することができると共に、レーザー光の光軸方向における光学系の素子の配置スペースが小さくなるため光ピックアップの小型化によるディスクドライブ装置の小型化を図ることができる。
【００７２】
請求項４に記載した発明にあっては、上記発光素子から出射されるレーザー光の波長は、基準波長をλとしたときにλ±０．０１５λの範囲であるので、短波長のレーザー光を使用する光ピックアップにおいて、光ピックアップの良好な性能の維持を効果的に図ることができる。
【図面の簡単な説明】
【図１】図２乃至図９と共に本発明の実施の形態を示すものであり、本図はディスクドライブ装置の概略斜視図である。
【図２】光ピックアップに設けられた光学系の構成を示す概念図である。
【図３】収差補正用光学素子の拡大断面図である。
【図４】各電極パターンに印加される電圧と球面収差との関係を示す概念図である。
【図５】回折素子の一部を示す拡大断面図である。
【図６】図７乃至図９と共に回折素子の形成方法を示すものであり、本図は保護板に紫外線硬化樹脂が滴下された状態を示す側面図である。
【図７】金型が下方へ移動された状態を示す側面図である。
【図８】紫外線が照射されている状態を示す側面図である。
【図９】金型が離型され回折素子が形成された状態を示す側面図である。
【図１０】従来のディスクドライブ装置に設けられた光学系の構成の一例を示す概念図である。
【図１１】従来のディスクドライブ装置に設けられた別の光学系の構成の一例を示す概念図である。
【符号の説明】
１…ディスクドライブ装置、４…ディスクテーブル、７…光ピックアップ、１３…対物レンズ、１４…発光素子、１７…収差補正用光学素子、１８…受光素子、１９…液晶素子、２０…回折素子、２１…保護板、２６…液晶層、１００…ディスク状記録媒体
【図１】
2004071081.tif 000003
【図２】
2004071081.tif 000004
【図３】
2004071081.tif 000005
【図４】
2004071081.tif 000006
【図５】
2004071081.tif 000007
【図６】
2004071081.tif 000008
【図７】
2004071081.tif 000009
【図８】
2004071081.tif 000010
【図９】
2004071081.tif 000011
【図１０】
2004071081.tif 000012
【図１１】
2004071081.tif 000013